(57)【要約】【解決課題】フィルタープレスにおいて濾布に付着するケーキの掻き取り作業時に掻き取ったケーキにより併設する洗浄装置の目詰まりを回避する。【解決手段】走行自由に設備する移動台（１１）に設ける昇降支持装置にスクレーパー装置（３２）を備え、該装置に分離可能に洗浄装置（３３）を併設する。濾板（６）の開板後ケーキの掻き取り作業時には前記洗浄装置（３３）を前記移動台（１１）に掛け止めて前記スクレーパー装置（３２）から分離し、該スクレーパー装置（３２）の掻き取り板（４１）を開いて単独で昇降操作し、一方洗浄作業時には前記掛け止めを解除し且つ前記掻き取り板（４１）を閉じて前記洗浄装置（３３）を前記スクレーパー装置（３２）に結合して両者一体に昇降操作するようにする。【選択図】　　　　図９
2004073951.tif 000002
【特許請求の範囲】
【請求項１】
濾板を懸架する左右のサイドバーに沿って並行状に付設する左右のガイドレールに跨り走行自由に架設される移動台に前記濾板の開板操作の際に形成される空間に向けて下降，上昇操作される昇降支持装置を設備し、該昇降支持装置に濾板表面に張設される濾布の表面に付着するケーキを掻き取るスクレーパー装置と、前記濾布表面のケーキを洗浄する洗浄装置とを併設してなるフィルタープレスにおいて、前記スクレーパー装置と前記洗浄装置とを別体にして前記昇降支持装置の昇降操作の際に前記洗浄装置を分離可能にし、前記スクレーパー装置のみを昇降操作可能にしてなることを特徴としたフィルタープレス。
【請求項２】
請求項１の記載において、昇降支持装置にはスクレーパー装置を直接連結し、該スクレーパー装置に洗浄装置を係脱自由に掛け止め併設してなることを特徴としたフィルタープレス。
【請求項３】
請求項１又は２の記載において、昇降支持装置は駆動装置によって上下操作される左右一対の昇降杆を備え、該両昇降杆の下端に支持枠を対面状に備えてスクレーパー装置の掻き取り板を支持する支持杆を並行状に渡設する一方、洗浄装置にはハンガーを備えて該ハンガーを前記支持杆に係脱自由に掛け止め、前記スクレーパー装置に前記洗浄装置を併設してなることを特徴としたフィルタープレス。
【請求項４】
請求項２又は３の記載において、洗浄装置若しくは移動台のいずれかに係止装置を設備し、スクレーパー装置によるケーキ掻き取り操作時には該係止装置により前記洗浄装置と前記移動台とを連結し、前記スクレーパー装置のみの単独昇降操作を可能にしてなることを特徴としたフィルタープレス。
【請求項５】
請求項４の記載において、洗浄装置の支持板に揺動する係止杆と該係止杆を揺動操作する駆動手段からなる係止装置を設備し、他方移動台には前記係止杆の爪を掛け止める係止受部を備えてスクレーパー装置の単独昇降操作時に前記駆動手段の操作によって係止杆を前記係止受部に係止し、洗浄装置の下降を阻止拘束することを特徴としたフィルタープレス。
【発明の詳細な説明】
【０００１】
【発明の属する技術分野】
本発明は、濾布の表面に付着するケーキを掻き取るスクレーパー装置とケーキを洗浄する洗浄装置とを備えたフィルタープレスに関する。
【０００２】
【従来の技術】
周知のようにフィルタープレスは、左右並行状に横設するサイドバーに各濾板の両側に突設する係止腕部を掛け止めて多数枚の濾板を積層状に配置する一方、前後の濾板をプレス装置で圧締し、各濾板相互を密締したのち、濾板相互の間に形成される空隙に濾過する原液を圧入して濾板に張設する濾布により濾過する構造に係っている。そして、濾過により濾布にケーキが付着堆積したとき、或は作業を終了したとき圧締した濾板を開放し、濾布の表面に付着したケーキを落とし、次の濾過作業に備えるようにしている。
【０００３】
小型で少数枚の濾板からなるフィルタープレスの場合には上記開板作業の際、手作業によっても行われるが、大型となり、セットされる濾板数も多くなった場合自動開板装置を組付け、動力によって個々の濾板間を開く方式が採用される。
そして、この場合には濾板表面に張設する濾布に付着するケーキの取り除きはスクレーパーによって行うのが普通になっている。
【０００４】
スクレーパー装置は知られるように所定の間隔をおいて開板される濾板間に侵入して濾布の表面に付着するケーキを掻き取り、剥し取って落下させるものであり、濾布の目詰まりを解消する上で不可欠であるが、このスクレーパーによる掻き取りでも目詰まりを解消することができず不充分な場合の解決法として濾布の表面に洗浄液を噴き付け洗浄する方法が採られる。
【０００５】
洗浄液の噴き付けは前記スクレーパー装置に併設する洗浄装置によって行っており、スクレーパー装置を支持する昇降装置を利用して濾板間を昇降する際に濾布の表面に洗浄液を噴き付けて洗い流すようにしている。
【０００６】
【発明が解決しようとする課題】
しかし、上記従来のスクレーパー装置に洗浄装置を併設する構造のフィルタープレスは、スクレーパー装置の昇降動作に伴って洗浄装置が昇降することからスクレーパーが掻き取ったケーキの塊を洗浄装置が受け取って掻き落としを妨げることがあり、また受け止めたケーキによって洗浄液の噴き出し口を塞ぎ正常な作業を妨げる問題がある。
【０００７】
また、上記従来の洗浄装置を一体に併設するスクレーパー装置は、スクレーパー装置を昇降操作する一つの昇降装置を兼用する上から洗浄装置との一体化を図るため両者を一定の位置関係で連結固定することになり、このため濾布より剥離したケーキがスクレーパー装置乃至は洗浄装置に絡み付き易く一層目詰まりを起す原因となり、また同時に両者の結合によって構造体が複雑化し、これに伴って絡み付いたケーキの除去に手間取る問題があった。
【０００８】
本発明は、上述の如く問題点に鑑みその改善を目的として開発されたもので、スクレーパー装置により濾布表面のケーキを掻き取る作業時に、これに併設される洗浄装置に対して掻き取ったケーキが被り、目詰まりの原因となることを有効に解消すると同時に、掻き取ったケーキがスクレーパー装置或は洗浄装置に掛って落下を妨げられケーキの剥離作業が妨げられるのを回避すること、更には装置にケーキが付着したとき容易にこれを除去し易くして濾過作業を円滑且つ容易に行えるようにしたことにある。
【０００９】
【課題を解決するための手段】
本発明は、上記目的を達成するため一つの昇降装置に支持され、併設されるスクレーパー装置と洗浄装置の両者を分離可能に装備し、スクレーパー装置によるケーキの掻き取り作業時には洗浄装置をスクレーパー装置から切り離して掻き取ったケーキの付着を未然に防止し、これによる目詰まりの原因を解消するようにしたフィルタープレスを提供しようとするものである。
【００１０】
これを更に詳述すると、本発明は濾板を懸架する左右のサイドバーに沿って並行状に付設する左右のガイドレールに跨り走行自由に架設される移動台に前記濾板の開板操作の際に形成される作業空間に向けて下降，上昇操作される昇降支持装置を設備し、該昇降支持装置に濾板表面に張設される濾布の表面に付着するケーキを掻き取るスクレーパー装置と、前記濾布表面のケーキを洗浄する洗浄装置とを併設してなるフィルタープレスにおいて、前記スクレーパー装置と前記洗浄装置とを別体にして前記昇降支持装置の昇降操作の際に前記洗浄装置を分離可能にし、前記スクレーパー装置のみを昇降操作可能にしてなることを特徴としたフィルタープレスを提供することにある。
【００１１】
また本発明は、前記昇降支持装置にはスクレーパー装置を直接連結し、該スクレーパー装置に洗浄装置を係脱自由に掛け止め併設してなることを特徴としたフィルタープレスを提供することにある。
【００１２】
また本発明は、前記昇降支持装置は駆動装置によって上下操作される左右一対の昇降杆を備え、該両昇降杆の下端に支持枠を対面状に備えてスクレーパー装置の掻き取り板を支持する２本の支持杆を並行状に渡設する一方、洗浄装置にはハンガーを備えて該ハンガーを前記支持杆に係脱自由に掛け止め、前記スクレーパー装置に前記洗浄装置を併設してなることを特徴としたフィルタープレスを提供することにある。
【００１３】
また本発明は、前記洗浄装置若しくは移動台のいずれかに係止装置を設備し、スクレーパー装置によるケーキ掻き取り操作時には該係止装置により前記洗浄装置と前記移動台とを連結拘束し、前記スクレーパー装置のみの単独昇降操作を可能にしてなることを特徴としたフィルタープレスを提供することにある。
【００１４】
また更に本発明は、前記洗浄装置の支持板に揺動する係止杆と該係止杆を揺動操作する駆動手段からなる係止装置を設備し、他方移動台には前記係止杆の爪を掛け止める係止受部を備えてスクレーパー装置の単独昇降操作時に前記駆動手段の操作によって係止杆を前記係止受部に係止し、洗浄装置の下降を阻止拘束するようにしてなることを特徴としたフィルタープレスを提供することにある。
次に、上述の本発明に係るフィルタープレスにつき実施の形態を通して更に詳述し、その特徴並びにその他の特徴について明らかにする。
【００１５】
【発明の実施の態様】
【実施例】
添付する図面は本発明に係るフィルタープレスの一実施例を示したものである。図１は正面図を、図２は平面図を、図３は右側面図をそれぞれ示している。図面において符号１は４隅の支柱２と支柱間を連結する横枠３によって構成されたフィルタープレス本体であり、４，５は前後に起立させた各２本の支柱２，２の上端間に渡して水平に、且つ並行するよう横設した左右のサイドバーである。
尚、この左右のサイドバー４，５は図１，図２では本体１の前後に位置することになるが、説明の都合上図１，図２に示す本体１の前後を、本体１の左右として説明する。以後の説明においても同様とする。
【００１６】
所要の高さに支持された前記左右のサイドバー４，５には多数枚の濾板６・・が左右の側辺部に突設する係止腕部７を掛け止めて吊設状に支持され、面同志を向い合せにして列設され、一方の端の濾板は本体１の一方（図１，２において左の端）に備える油圧シリンダからなるプレス装置８の可動押圧板９に対面し、他方の端の濾板はこの押圧板９と対向する本体１に固定される固定押圧板１０に対面して各濾板が両押圧板９，１０の間に挟まれ、プレス装置８の押圧操作によって各々接面状に圧締されるようになっている。
【００１７】
１１は上記圧締される濾板間を開放する開板手段と、開板したのち濾板６の表面に張設する濾布（図示せず）の表面に付着するケーキを掻き取るスクレーパー装置と、ケーキを掻き取ったのち濾布に残るケーキを洗浄する洗浄装置とを装備する移動台である。
【００１８】
移動台１１は左右の支持脚１２，１３の上端間に基台１４を水平に渡して門形に形成してあり、両支持脚の下端に前後に向けて並行するように備える横枠１５に前後２つのローラ１６，１６を備え、このローラを前記サイドバー４，５の外側面にそれぞれ長さ方向に沿って付設するガイドレール１７，１７に滑合させて起立した状態に支持される。
【００１９】
この移動台１１は本体１の左方のサイドバー４の前後に備えるスプロケット１８，１８間に張設する無端の牽引用のチェーン１９に前記横枠１５から水平に突き出す支持板２０を連結し、ギヤードモータ２１によって上記チェーン１９が運行されることで牽引駆動されるようにしてあり、サイドバーの長さ方向に添って往復移動することができるようになっている。
【００２０】
この実施例では前記ガイドレール１７を角パイプにしてその上面にローラ１６を走行自由に滑合させており、中空の内部に前記チェーン１９の下辺部分を挿通してこれを支持し、その上方にアングル状の補助レール２２を並設してチェーン１９の上辺部分を支持し、上下に折り返す無端のチェーン１９が絡むことなく円滑に運行するようにしてある。
【００２１】
図中２３，２４は開板装置を構成する一対のエアシリンダである。２つのエアシリンダ２３，２４は支持板２０に前記濾板６の係止腕部７を受け入れられる間隔をおいてそれぞれのピストンロッド２５，２６を上向きにした状態で並行状に固定してある。そして、常時はロッド２５，２６を収縮させて下げ、サイドバー４，５に懸架される前記係止腕７の下を潜り抜けられるようにしてある。
【００２２】
この開板装置を構成する一対のエアシリンダ２３，２４は左右の支持板２０にそれぞれ設置され、操作時には後述するように濾板６の両側に設ける係止腕部７に各ロッド２５，２６を突出させて係合するようにしてある。そして、一方の支持板２０には係止腕部７の下面に埋設した検出用の金属ボルト２７を検出して開板装置と濾板の位置を確認し、前記ギヤードモータ２１の停止を指示する検出スイッチ２８が備えてある。
尚、図中２９は支持脚１２，１３の中空部を通して前記エアシリンダ２３，２４に接続する給排出用のエアパイプであり、３０は検出スイッチ用のコードである。
【００２３】
図中、３１は後述するスクレーパー装置３２と洗浄装置３３を昇降自由に支持する昇降支持装置の２本の昇降杆である。３４はこの昇降杆を駆動するギヤードモータであり、３５はギヤードモータの駆動力を前記左右の昇降杆３１，３１に伝える回転軸である。
【００２４】
昇降杆３１は長尺な金属棒からなり、前記移動台１１の基台１４に備える軸受筒部３６を貫通して左右並行して起立し、上下に摺動自由に支持され、また回転軸３５はこの昇降杆３１の間に渡るように基台１４の上面に備える軸受部３７に回転自由に支持して水平に渡してある。
【００２５】
上記回転軸３５はギヤーケース３８に収められるギヤーを介してギヤードモータ３４と接続し、正逆回転するようにしてあり、またこの回転軸には２本の昇降杆３１に臨む両端部にピニオンギヤーを備えてこのギヤーを各昇降杆３１の側面に長さ方向に沿って形成するラックギヤー（図示せず）に噛合させてあり、ギヤードモータ３４の回転がこの回転軸３５を介して昇降杆３１に伝わり、その正逆の回転によって上昇、下降するようにしてある。
【００２６】
図７乃至図１４は、前記昇降支持装置を介して移動台１１に設備されるスクレーパー装置３２と洗浄装置３３を拡大して示したものである。次にこれらの図面に従って両者の関係並びに移動台１１との関係を明らかにする。
【００２７】
スクレーパー装置３２は、この実施例では左右の昇降杆３１の下端に取付られる縁枠を備えた板状の支持枠３９，３９と、この左右の支持枠間に渡設される並行する２本の支持杆４０，４０と、この支持杆を枢着軸として前後方向に揺動し、開閉操作される掻き取り板４１，４１から構成されている。
【００２８】
上記スクレーパー装置３２の２枚の掻き取り板４１，４１は、支持枠３９の内部に収める図示しないエアシリンダの端部とそのピストンロッドの端部を掻き取り板の側縁部に止めて相互に連結し、常時はこのエアシリンダを収縮させて図８に示したように略垂直の状態（閉じた状態）に保持して格納し、またケーキの掻き取り作業時には上記エアシリンダにエアを圧送してピストンロッドを伸長させ、この伸長を利用して両掻き取り板４１，４１を図１０に示したように支持杆４０，４０を支点にして八の字形に開放し、板の先端（下端）を後述する濾板６の表面に張設する濾布の表面に押し当てられるようにしてある。
【００２９】
一方、洗浄装置３３は洗浄液の液送管４２と、この液送管４２を両端において支える支持板４３とから構成され、支持板４３には前記スクレーパー装置３２に掛け止めてこの洗浄装置３３を吊設保持させるハンガー４４と、前記移動台１１に掛け止めてスクレーパー装置３２との結合状態を解く係止装置とが備えてある。
【００３０】
図示するように前記左右の支持板４３はそれぞれ並行し対面する２枚の板からなり、液送管４２は左右両端に備える取付台部分４５をこの２枚の板の間に差し入れてボルト締めすることによって取付けてある。
また、ハンガー４４は鉤形の２つの片からなり、この片を上記支持板４３の外側の面に互いに逆向きに固定して前後方向に突き出るように設けてある。
【００３１】
上記ハンガー４４は左右両端の支持板４３にそれぞれ設けて対称に形成してあり、各支持板４３の前後の面から突き出す片は前記スクレーパー３２に並行状に渡した２本の支持杆４０，４０に渡る長さにして各片の下縁には弧状の係合凹部４６を設けてこの支持杆４０を受け入れるようにしてある。
【００３２】
一方、係止装置は上下両端に係止爪４７，４８を備える係止杆４９と、この係止杆を牽引するコイルばね５０と、上記係止爪４７の係合を強制する駆動手段たるエアシリンダ５１から構成し、上記係止杆４９は長さの途中を前記２枚の支持板４３，４３間に渡す軸５２に揺動自由に枢着して上下の係止爪４７，４８を交互に突き出せるようにしてある。
【００３３】
この係止杆４９に対してコイルばね５０は、常時上方の係止爪４７が後退位置にあるように付勢しており、係止杆４９と支持板４３の間に縮設される。その一方、前記エアシリンダ５１は移動台１１の基台１４の下面に取付られる係止受部５３に固定され、前記係止杆４９の上端に臨むようにしてある。
【００３４】
係止受部５３は左右の支持板４３，４３にそれぞれ備えられる係止杆４９にそれぞれ対応するように左右にあり、それぞれは金属板をコ字形に曲成したものにして基台１４の下面に添わせてボルト締めし、対向する２片５４，５５が垂下するように固定してある。
【００３５】
そして、上記一方の片５４に前記エアシリンダ５１を固着し、ピストンロッドが外側に位置する片５５に向くようにしてある。この外側の片５５には前記係止杆４９の上端の爪４７を係合させる透孔５６が開設してある。
【００３６】
左右に設けられる各係止受部５３は洗浄装置３３の左右に設けられる各係止杆４９の直上に位置する状態で固定される。後述するように昇降支持装置によって洗浄装置３３が最上昇点に達したとき、前記２片５４，５５の間に係止杆４９の上端を受け入れてこの上端の背後に前記エアシリンダ５１のロッドを臨ませると同時に、上端の係止爪４７を前記一方の片５５の透孔５６に臨ませるようにしてある。
【００３７】
本発明フィルタープレスは上述のように構成されるもので、次に作業の実際を通して各部の構成と作用並びに効果について更に説明することにする。
本発明フィルタープレスによる濾過作業は従来のフィルタープレスによる場合と同じであり、本体１に横設される左右のサイドバー４，５の間に濾布で覆った多数の濾板６を収めてこれらを吊設状に支持し、更に油圧シリンダ８の伸長によって押圧板９，１０の間で圧締し、濾板相互を密着させて濾過に備える。
【００３８】
図面には示さないが、各濾板６には上記圧締されることによって相互に連通される原液を供給するための送液孔と、前記濾布を通して濾過された濾液を排出する排液孔が形成され、前記準備作業ののち上記送液孔を通して各濾板に張設する濾布相互の間、つまり濾過空間に原液を圧入することにより濾過作業に入ることになる。
【００３９】
次に、濾板相互の開板作業は、濾過作業が終了したのち、或は濾布表面にケーキが付着して効率が低下したとき行われる。
開板作業は油圧シリンダ８を収縮させ、可動押圧板９を後退させてこの押圧板と最端部の濾板との間にケーキ除去のための作業空間が確保されたところで実施される。
【００４０】
本発明フィルタープレスにおいては前記可動押圧板９の後退によって作業空間が確保されたことを確認したのち、ギヤードモータ２１を駆動してチェーン１９を運行させ、移動台１１を最端部の濾板の位置に運び、対峙させる。
なお、移動台１１は図１に細線で示すように濾過作業中は濾板の上方から退避させて油圧シリンダ８が設けられる左方の空間に置き、開板作業の開始の指示と共に濾板方向に移動させることになる。
【００４１】
この右方向への前進移動の際、開板装置の２つのエアシリンダ２３，２４のうち後方となる左方（図１，２において）のエアシリンダ２４のピストンロッド２６を突出させて置く。そして、これらのエアシリンダ２３，２４を備える支持板２０に設けた検出スイッチ２８が迎えに行った係止腕部７に埋設するボルト２７を検出したとき、この検出信号で前記ギヤードモータ２１を停止させ移動台１１の前進移動を止める。
【００４２】
この前進移動の停止後、前記右方のエアシリンダ２３のロッド２５を伸長突出させて前記他方のロッド２６と共働して前記係止腕部７の下端部分を挟み込んで拘束し、次に前記ギヤードモータ２１を逆転させて移動台１１を押圧板９側に後退移動させ、最端部、つまり第１番目の濾板を開板するのである。
【００４３】
この第１番目の濾板を押圧板９に当接させるまで移動させたのち、再びギヤードモータ２１を正回転させて前進移動させ、第２番目の濾板に向わせる。
この前進移動の際、開板装置の両エアシリンダ２３，２４を共に収縮させて第１番目の濾板の係止腕部７の下を潜り通し、この潜り抜けの終了と共に再び左方のエアシリンダ２４のロッド２６を伸長突出させて第２番目の濾板へと向うようにする。
【００４４】
この前進移動によって支持板２０が第２の濾板の係止腕部７に接近し、検出スイッチ２８がボルト２７を検出したとき前記ギヤードモータ２１を停止させて移動台１１の移動を止める。
この移動台１１の停止位置は正しく第２番目の濾板を開板させる直前の位置となるが、同時にこの位置は第１番目と第２番目の濾板の開放によって形成された作業空間（５７）の中央部直上に移動台１１に装備されたスクレーパー装置３２と洗浄装置３３が臨む位置に当る。一旦移動台１１の移動はこの位置で固定される。
【００４５】
この移動台１１の移動停止後、最初の作業はスクレーパー装置３２によるケーキの掻き取り作業となる。
スクレーパー装置の操作に当っては図７，図８に示したようにスクレーパー装置３２と洗浄装置３３とが最上昇位置にあるとき、係止装置のエアシリンダ５１を伸長操作してそのロッドでコイルばね５０に抗して係止杆４９の上端部を押し出し、係止爪４７を係止受部５３の一方の片５５に開設する透孔５６に係合させて洗浄装置３３をこの係止受部５３を介して移動台１１の基台１４に吊り下げた状態に保持する。そして、この状態においてスクレーパー装置３２を降下させるのである。
【００４６】
スクレーパー装置３２の下降操作はギヤードモータ３４を駆動し、回転軸３５を回転することによって行われる。
回転軸３５の回転によって両端に備えるピニオギヤーを回転させ、昇降杆３１の側面に沿って長さ方向に各形成するラックギヤーを介して左右の昇降杆３１，３１を同時に下降させ、スクレーパー装置３２を下すことになる。
このとき、ハンガー４４を支持杆４０に掛け止めてスクレーパー装置３２に連結させておいた洗浄装置３３は、前記した如く係止装置による掛け止めによって基台１４の下に吊り下げられた状態に保持されることになり、分離することになる。
【００４７】
従って、スクレーパー装置３２は図９，図１０に示したようにケーキの掻き取り作業時には単独で下降することになる。そして、前記開板した濾板間の作業空間５７に達した時点で、支持枠３９に備える前記する図示しないエアシリンダを伸長操作して２つの掻き取り板４１，４１を支持杆４０，４０を支点にして前後に八の字形に開き、その先端を開板した濾板６，６の表面に張設する濾布に押し当てる操作が行われる。
【００４８】
スクレーパー装置３２は掻き取り板４１，４１を開いたまゝ下降を続け、濾布の表面を摺ってこれに付着するケーキを剥離する如く掻き落すことになる。
このケーキの掻き落し作業は１回でも、またギヤードモータ３４を正逆回転させて左右の昇降杆３１を上下繰り返すことによって複数回反覆させてもよい。その操作は付着したケーキの量或は質によって任意に回数等が選択されることになる。
【００４９】
この様にしてケーキの掻き落しが終了したのち、ギヤードモータ３４を逆回転させて昇降杆３１を上昇させ、スクレーパー装置３２を元の最上昇位置に戻すことになる。このとき、先に開いた掻き取り板４１はシリンダーの操作によって閉じ図示するように垂下した状態にする。
【００５０】
そして次に、このスクレーパーによる掻き落しでは不充分な場合、或は濾過作業を終了する場合において濾布の洗浄を必要とする場合は、スクレーパー装置３２が最上昇位置に達したところで、係止装置の前記エアシリンダ５１を操作してロッドを後退させ、ばね５０によって係止杆４９の係止爪４７を透孔５６から外して係止受部５３との係合を解除する（図１１参照）。
このときハンガー４４が支持杆４０に掛け止められていることから洗浄装置３３はスクレーパー装置３２に乗り掛るようにして組付くことになり、この結合状態において昇降支持装置を作動させれば、洗浄作業を行うことができる。
【００５１】
上記係止装置の係止杆４９は図１１，図１２に示した如く係止爪４７の係合を外すのと同時に、下端の係止爪４８を支持枠３９に開設する透孔５８に突き入れ係合することから合体結合後の洗浄装置３３はハンガー４４の掛け止めと、この係止杆４９の係合によってスクレーパー装置３２と安定した状態で連結し、一体化して離れることがなくなる。
【００５２】
一方、洗浄装置３３による濾布の洗浄作業は、スクレーパー装置３２を昇降操作することによって行われ、作業空間５７に向けて下降し、液送管４２が濾板の表面に達したとき、この液送管に備えるノズル５９から濾布の表面に向けて斜め上方位置から洗浄液を噴き付け、付着するケーキを洗い落とすことによって行われる。
言うまでもないが、この洗浄作業の際は前記スクレーパー装置３２は操作されず、洗浄装置３３の支持台として機能することになる。
【００５３】
ノズル５９は、濾布の全面に亘って洗浄液を噴き付けられるように液送管４２の長さ方向に沿って所要個数設置すればよい。因みにこの実施例では一方の濾布に対して３個のノズルが向い合うように設置してある。
尚、上記洗浄装置３３がスクレーパー装置３２に連結したとき、図１１乃至図１４に示すように洗浄装置３３の液送管４２が掻き取り板４１の下端から下に突き出すようにしてあり、ノズル５９から噴射する洗浄液が板に妨げられることなく濾布に直接達するようにしてある。
【００５４】
洗浄装置３３による濾布の洗浄は、１回乃至複数回の上下動を通して行われることになる。濾布の洗浄を終了したのちは再びギヤードモータ３４を操作してスクレーパー装置３２と共に最上昇位置まで引き上げ、濾板６，６間の作業空間から退避させられる。
【００５５】
そうしたのち、前記第２番目の濾板の係止腕部７に臨ませた右のエアシリンダ２３のロッド２５を突出させて係合させ、次にギヤードモータ２１を駆動させて移動台１１を後退方向に移動させ、第２番目の濾板と第３番目の濾板との間を開き、ここに再び作業空間５７を確保する。その後再び移動台１１を前述した場合と同様にして前進方向、つまり第３番目の濾板に向けて移動させる。
【００５６】
そして、これの係止腕部７に埋設するボルト２７を検出スイッチ２８が検出するまで前進させ、検出と共に再び停止させることになる。この状態において前記作業空間５７の直上に位置する移動台１１の基台１４からスクレーパー装置３２を降し、掻き取り作業を行い、また洗浄作業に際してはこのスクレーパー装置に連結する洗浄装置３３を伴わせて降し、濾布表面のケーキを洗い流す操作を行い、繰り返すことになる。
【００５７】
この移動台１１の移動による濾板の開板作業と、これに伴って行われるケーキの掻き落し、或は洗浄作業は各濾板について個々繰り返され、全ての濾板に張設される濾布のケーキの洗浄のために行われる。
【００５８】
この実施例では、上記開板作業とケーキの掻き落し、洗浄作業はフィルタープレスにセットする濾板の枚数を基準にして反覆回数を決定し、これを制御装置６０内に設備する制御回路に記憶設定して全ての工程を自動化しており、濾過作業を終了した後のケーキ除去作業を無人化するようにしている。
【００５９】
図中６１はサイドバー４，５にセットされる濾板６・・・の下方にあって濾過中濾布の目から漏れる液を受け取り、ケーキの掻き落し作業の際は開放される受け皿である。６２はこの受け皿を開閉するエアシリンダである。また、６３は油圧ポンプユニット、６４は油圧バルブユニットであり、６５は濾布を通して回収される濾液を集める回収用樋である。
【００６０】
尚、図面に示す実施例では昇降支持装置の昇降操作によって直接昇降操作されるスクレーパー装置３２に対して、洗浄装置３３をハンガー４４を使ってスクレーパー装置の支持杆４０に掛け止める方法により連結結合させ両装置を併設する構造としたが、洗浄装置３３に前記係止杆４９と同様の第２の係止杆を用意してこれを例えばスクレーパー装置３２の支持枠３９に掛け止める等して連結させるようにしてもよい。
【００６１】
また、スクレーパー装置３２によるケーキの掻き取り作業中、洗浄装置３３を移動台１１の基台１４に掛け止める手段としての係止杆４９を洗浄装置側に備える場合について説明したが、この係止杆４９を基台１４側に設備して洗浄装置側に設備する係止用の受部（前記係止受部５３に相当するもの）に係脱自由に掛け止めるようにしてもよい。これらの選択は設計上の都合によって自由に選択される。
【００６２】
また、前記実施例の説明では移動台１１を走行自由に支持するガイドレール１７を左右のサイドバー４，５の外側面に直接固定し付設する構造としたが、サイドバーとは独立して、例えばその上方に左右平行状に付設して移動台１１を支持案内するようにしてもよい。
【００６３】
尚、図中の符号６６は本体１の一側部に起立させた支柱であり、この支柱と前記他端の制御装置６０を収納する外箱との間にワイヤー６７を渡して移動台１１に装備するギヤードモータ３４の電源コードや開板装置のエアシリンダ２３，２４にエアを供給するエアホース等を掛け止めるようにしている。
【００６４】
以上説明したように、本発明に係るフィルタープレスは移動台１１に装備する昇降支持装置に直接スクレーパー装置３２を取付け、このスクレーパー装置に洗浄装置３３を係脱自由に掛け止め支持する構造にして一基の昇降支持装置を兼用する状態で併設し、スクレーパー装置によるケーキの掻き取り時には洗浄装置３３を切り離し、洗浄装置による洗浄作業時には両装置を連結することによって使い分けるものにしてあり、これにより両装置の機能を全く損なうことなく利用することができ、しかもこの両装置は並立的に設置されることからケーキの掻き取りの動作と洗浄の動作を前後連続的に行うことが可能になっている。従って、濾過作業を進める上で円滑に、且つ迅速に行えるものとなる。
【００６５】
また、スクレーパー装置３２に併設される洗浄装置３３は基本的に乗り掛るようにして掛け止めてあり、自重によってしっかり連結される構造にあることから安定的に結合し、また分離に際しては洗浄装置を移動台に掛け止めることでスクレーパー装置を単に下降させるだけで簡単に離すことが可能であって装置の作動上においても有利である。
【００６６】
【発明の効果】
本発明は以上の説明の如く構成され、使用されるもので、昇降支持装置によって共に支持されるスクレーパー装置と洗浄装置は、スクレーパー装置によるケーキの掻き取り作業時に洗浄装置を分離しておくことができることから、掻き取ったケーキを被るなどして洗浄装置のノズルが塞がれるようなことがなく、従って常に安定した洗浄液の噴き付けができる。
【００６７】
また本発明は、掻き取り作業時にスクレーパー装置から洗浄装置が外れて主に掻き取り板のみとなるため濾布より剥されたケーキが装置に絡み付くことが少なくなり、また絡み付いた場合にもスクレーパー装置が単独になり不要な構造体が除かれることからケーキの取り除きが容易であり、これら装置の洗浄作業において大幅な作業軽減になる。
【図面の簡単な説明】
【図１】本発明に係るフィルタープレスの正面図。
【図２】図１の平面図。
【図３】図１の右側面図。
【図４】昇降支持装置を設備した移動台の拡大右側面図。
【図５】移動台の支持脚の高さの途中において切断した拡大平面図。
【図６】サイドバーに付設されるガイドレールと移動台の滑合関係を説明する移動台部分の拡大右側面図。
【図７】移動台と昇降支持装置とを介して装備されるスクレーパー装置と洗浄装置の関係を説明する一部欠截する拡大右側面図。
【図８】図７の左側面図。
【図９】移動台に洗浄装置を係止してスクレーパー装置のみを下降させた状態を説明する一部欠截の拡大右側面図。
【図１０】図９の一部欠截する左側面図。
【図１１】洗浄装置を移動台から外してスクレーパー装置と連結合体させた状態を説明する一部欠截の拡大右側面図。
【図１２】図１１の左側面図。
【図１３】洗浄装置を連結合体させたスクレーパー装置を下降させた状態を説明する一部欠截の拡大右側面図。
【図１４】図１３の一部欠截せる左側面図である。
【符号の説明】
１　　　　　フィルタープレス本体
２　　　　　支柱
４，５　　　サイドバー
６　　　　　濾板
７　　　　　濾板の係止腕部
８　　　　　油圧シリンダ
９　　　　　可動押圧板
１０　　　　固定押圧板
１１　　　　移動台
１４　　　　移動台の基台
１６　　　　ローラ
１７　　　　ガイドレール
１８　　　　スプロケット
１９　　　　牽引用のチェーン
２０　　　　支持板
２１　　　　移動台を駆動するためのギヤードモータ
２３，２４　濾板を牽引するためのエアシリンダ
２５，２６　エアシリンダのピストンロッド
２７　　　　位置検出用のボルト
２８　　　　検出スイッチ
３１　　　　昇降杆
３２　　　　スクレーパー装置
３３　　　　洗浄装置
３４　　　　昇降杆を作動するギヤードモータ
３５　　　　回転軸
３９　　　　支持枠
４０　　　　支持杆
４１　　　　掻き取り板
４２　　　　液送管
４３　　　　支持板
４４　　　　ハンガー
４９　　　　係止杆
５０　　　　コイルばね
５１　　　　エアシリンダ
５３　　　　係止受部
５７　　　　作業空間
５９　　　　洗浄装置のノズル
【図１】
2004073951.tif 000003
【図２】
2004073951.tif 000004
【図３】
2004073951.tif 000005
【図４】
2004073951.tif 000006
【図５】
2004073951.tif 000007
【図６】
2004073951.tif 000008
【図７】
2004073951.tif 000009
【図８】
2004073951.tif 000010
【図９】
2004073951.tif 000011
【図１０】
2004073951.tif 000012
【図１１】
2004073951.tif 000013
【図１２】
2004073951.tif 000014
【図１３】
2004073951.tif 000015
【図１４】
2004073951.tif 000016